(57)【要約】眼内レンズのための折り畳みパターンが提供される第１の実施形態では、眼内レンズは、折り畳まれている構成と折り畳まれていない構成になる本体とすることができる一つ以上の折り目を含む該本体と、該本体の中、または上に含まれる電気的に活性する要素を含むことが開示され、折り畳まれている構成の少なくとも一つの寸法は約７ｍｍ未満である。【選択図】図４
2012533355.tif 000002
【特許請求の範囲】
【請求項１】
眼内レンズであって、
折り畳まれている構成と折り畳まれていない構成とすることができる本体に、一つ以上の折り目を含む前記本体と、前記本体の中または上に含まれる電気的に活性する要素とを含み、折り畳まれている構成の少なくとも一つの寸法は約５ｍｍ未満である眼内レンズ。
【請求項２】
請求項１に記載の眼内レンズにおいて、２つの平行な折り目を含む眼内レンズ。
【請求項３】
請求項１に記載の眼内レンズにおいて、中央の開口部を横断する折り目を含む眼内レンズ。
【請求項４】
請求項１に記載の眼内レンズにおいて、本体を二等分する折り目を含む眼内レンズ。
【請求項５】
請求項１に記載の眼内レンズにおいて、眼内レンズ本体が折り畳まれている構成と折り畳まれていない構成との両方で、中央の開口部は、実質的に平面のままである眼内レンズ。
【請求項６】
請求項１に記載の眼内レンズにおいて、折り畳まれている構成の少なくとも一つの寸法は約４ｍｍ未満である眼内レンズ。
【請求項７】
請求項６に記載の眼内レンズにおいて、折り畳まれている構成の少なくとも一つの寸法は、約３．５ｍｍ未満である。
【請求項８】
請求項７に記載の眼内レンズにおいて、折り畳まれている構成の少なくとも一つの寸法は、約３ｍｍ未満である眼内レンズ。
【請求項９】
請求項１に記載の眼内レンズにおいて、折り畳まれている状態と折り畳まれていない状態の眼内レンズは、少なくとも約５％変調伝達関数を達成する眼内レンズ。
【請求項１０】
請求項１に記載の眼内レンズにおいて、眼内レンズは、関節がある触覚をさらに含む眼内レンズ。
【請求項１１】
請求項１０に記載の眼内レンズにおいて、本体に柔軟に接続されているウィング部をさらに含み、触覚は、ウィングから本体の周囲に同心円状に延在する眼内レンズ。
【請求項１２】
請求項１１に記載の眼内レンズにおいて、ウィングは本体に対して、ちょうつがいのように動き、および／または回転できる眼内レンズ。
【請求項１３】
請求項１に記載の眼内レンズにおいて、眼内レンズは、バッテリ、回路、アンテナ、およびセンサからなる群から選択される一つ以上の電子部品をさらに含む眼内レンズ。
【請求項１４】
請求項１３に記載の眼内レンズにおいて、一つ以上の電子部品は触覚の上に配置される眼内レンズ。
【請求項１５】
請求項１３に記載の眼内レンズにおいて、一つ以上の電子部品は触覚と目の接合部に配置される眼内レンズ。
【請求項１６】
眼内レンズを埋め込む方法であって、
請求項１に記載の眼内レンズを提供する工程と、
眼内レンズを折り畳まれている構成に折り畳む工程と、
折り畳まれている眼内レンズを目に挿入する工程と、
眼内レンズをそれが折り畳まれていない構成に開く工程と、を含む方法。
【発明の詳細な説明】
【技術分野】
【０００１】
（関連出願の相互参照）
本出願は、２００９年７月１４日に出願された米国仮特許出願第６１／２２５、３２３号、および２００９年１０月９日に出願された第６１／２５０、１５９号の利益を主張する。
【背景技術】
【０００２】
目の天然レンズが損傷し、または老化すると、例えば、白内障の場合には、天然レンズを除去し、人工眼内レンズ（ＩＯＬ）に置き換えることができる。多くの場合、ＩＯＬは単一焦点の遠距離視力用に設計されているが、複数焦点または柔軟対応ＩＯＬｓなどのいくつかのＩＯＬｓは、近距離視力も提供できるように設計されている。
【０００３】
小さな切開部を通して、外科的に埋め込み可能なＩＯＬｓに対する需要が存在している。近距離視力、中距離視力、および遠距離視力を提供できるＩＯＬｓに対する需要も存在する。
【先行技術文献】
【特許文献】
【０００４】
【特許文献１】ＵＳ２００６／００９１５２８
【特許文献２】ＵＳ２００８／０２０８３３５
【発明の概要】
【課題を解決するための手段】
【０００５】
眼内レンズのための折り畳みデザインが提供される。折り畳まれている眼内レンズを埋め込み、次に、生体内で眼内レンズを開く方法も提供される。
【図面の簡単な説明】
【０００６】
【図１】関節があり、折り畳みできる（Ａ、Ｂ、およびＣ）および巻くことができるデザイン（ｄ）の両方を含む例示的な眼内レンズを示す。これらのデザインは、電気的に活性化される開口部の動作のための電子部品の例示的な配置を含む。
【図２】バッテリ、ＡＳＩＣｓ、およびバッテリの遠隔充電を支援するアンテナを含む、電気的に活性化される開口部の動作を支持する電子回路パッケージの組み立て図を示す。電子部品は、ウエハーの上に載せられて、および薄いウエハーに密封される。
【図３】関節があるウィングを含む例示的な眼内レンズデザインを示す。Ａ．は、中央のフルヒンジデザインとともに使用できるヒンジウィングを示し、Ｂ．は、レターボックス折り畳み式デザインとともに使用できるレターボックスウィング示す。両方の実施形態は、硬い、電気的に活性化される要素を含む。両方の実施形態では、電子部品は、光路から離れた触覚と目の接合部で示される。これらのデザインでは、電気的に活性化される開口部がＯＮの間は、それらを通る光の透過がさまたげられるので、光学セクションは暗くなる。
【図４】通常は硬い電気的に活性化されるセルを含む、ＩＯＬによる目のための例示的な折り畳可能なデザインを示す。Ａ．は、レターボックス（Ｌｅｔｔｅｒｂｏｘ）である。Ｂ．は、ダブルヒンジである。Ｃは、中央部分ヒンジである。Ｄ．は、中央フルヒンジである。Ｅ．は、オフセット単一ヒンジである。図４では、半透明中央開口部は、黒で示される。白い部分（折り目に沿った）は、半透明または不透明である。
【図５】例示的なＩＯＬデザインを通した場合の、遠距離視力のシミュレートされた視力の結果を示す。
【図６】例示的なＩＯＬデザインの場合の、近距離視力のシミュレートされた視力の結果を示す。
【図７】レターボックス、中央部部分ヒンジ、およびダブルヒンジ構成での、例示的なＩＯＬｓの変調伝達関数（ＭＴＦ）を示す。電気的に活性化される開口部が閉じた場合、または開いた場合で、撮影距離が（遠距離）と５００ｍｍ（中距離）でのＭＴＦへの影響を示す。
【図８】電気的に活性化される開口部の開閉によって、電気的に活性化されるＩＯＬのＭＴＦを、撮影距離が無限（９０ｍ）から５００ｍｍの関数として示す。開口部の有無による網膜像のＭＴＦを撮影距離の関数として示す。プロットによって、撮影距離が８００ｍｍ（０．８Ｍ）から５０００ｍｍ（５Ｍ）の範囲で、開口部がＯＮ、すなわち、閉じている場合に、ＭＴＦに実質的な改善が見られることがわかる。
【図９】角度７０°でのモデル化されたガラスの折り畳みストレスを示す。Ａ．は、０．５ｍｍの分離およびセル厚さ１００μｍで、結果として生じる９０ＭＰａのピークストレス示す。Ｂ．は、０．５ｍｍの分離およびセル厚さ２００μｍで、結果として生じる２７ＭＰａピークストレスを示す。Ｃ．は、示す１ｍｍの分離およびセル厚さ１００μｍで、結果として生じる６３ＭＰａピークストレスを示す。
【発明を実施するための形態】
【０００７】
本明細書に記載の眼内レンズ（ＩＯＬｓ）は、埋め込みおよび／または性能を改善する、関節および／または折り畳みパターンによって特徴付けられる。本明細書に記載された折り畳可能なＩＯＬｓは、任意に、電気的に活性化される（ＥＡ）要素を含み、それは、例えば、近景、中景および遠景を含む広範囲のさまざまな視覚による要求を調節するために、レンズの屈折力を修正することができる電気的に活性化されるセルである。
【０００８】
いくつかの実施形態では、電気的に活性化される要素は、柔軟性のあるＩＯＬ本体材料と比較して硬い。一実施形態では、ＩＯＬの折り畳み式のデザインによって、有利に挿入のためのＩＯＬ外形を狭くすることができるとともに、より硬いＥＡ要素を横断する折り目を最小化または低減する。
【０００９】
別の実施形態では、ＩＯＬは柔軟性のある電子要素で特徴付けられてもよい。電気的に活性化される要素は、目に挿入している間は、より小さい外形となるために巻くことが可能な、柔軟性のある樹脂材料から組み立てられてもよい。柔軟性のある電気的に活性化される要素は、図１Ｄに示すように、回転可能なデザインに組み込まれてもよい。回転可能なデザインは、有利に折り目を最小化または低減できる。
（電子部品）
【００１０】
ＩＯＬは、これに限定されるわけではないが、再充電可能なバッテリなどのバッテリ、特定用途向け集積回路（ＡＳＩＣｓ）等の電子回路、アンテナ、およびセンサを含む多様な電子部品を備える。電子部品は、電気的に活性化される要素を動作させるために使用される。
【００１１】
電子部品は一緒にグループ化できるが、離して配置してもよい。一実施形態では、電子部品は集積されたウエハーを形成するために、グループ化される。電子部品は薄いウエハーに密封することができる。図２は、電気的に活性化されるセルを含む電子ウエハーの一実施形態を示す。
【００１２】
図１Ａは、間隔を空けた構成の一実施形態を示す。この実施形態では、電気的に活性化されるセルは目の中央部に留まるが、電子部品は、触覚の遠位端またはその近くに埋め込まれる。この構成では、電気的接続が、電子部品と電気的に活性化されるセルの間に提供される。
【００１３】
電子部品は一般に透明ではないので、半透明の中央開口部上を除く、ＩＯＬのほとんどどこでへでも配置できる。一実施形態では、電子部品は触覚に配置される。電気的に活性化される開口部は目の中央部に存在し、電子部品は、物体から網膜への光線経路から離して配置する。例えば、図１Ａは、触覚の縁に配置される電子部品を示す。
【００１４】
別の実施形態では、電子部品は、触覚と目の接合部、またはその近くに配置される。例えば、それらは少なくとも一つの折り目が配置された疎水性アクリル材料に埋め込まれるので、比較的より小さい切開を通じて埋め込み可能なデバイスにとって、実質的に硬い該要素は折り畳まれる必要がない。図１Ｃおよび図３Ａおよび図３Ｂでは、電子部品は触覚と目の接合部に示される。触覚と目の接合部での電子部品の配置は、図４に示される折り畳み式のデザインとともに使用されてもよい。
（折り畳みデザイン）
【００１５】
戦略的に配置された折り目を含むことによって、ＥＡ要素を含むＩＯＬは折り畳まれることができるので、小さな外科的切開を通じて挿入することができる。該折り目を組み込んだデザインが、図１、図３、および図４に示される。中央の硬い要素の周りで、折り畳まれている柔軟なセクションによって両側が囲まれる該中央の硬いセクションを含むので、“ウィングｓ（ｗｉｎｇｓ）”と呼ばれるデザインの種類を図３は示す。触覚は、折り畳まれているウィングの上に横たわるように戻って、折り畳まれる。
【００１６】
一実施形態では、眼内レンズは、本体が折り畳まれている構成、および、折り畳まれていない構成となることができる一つ以上の折り目を含む該本体、並びに、本体の中または上に含まれる電気的に活性する要素を含み、ここで該折り畳まれている構成の少なくとも一つの寸法は約５ｍｍ未満である。
【００１７】
電気的に活性となる要素は、ＩＯＬ本体に含まれ、または内部に埋め込まれている。一実施形態では、それは本体内部に埋め込まれている。電気的に活性する要素は、米国特許出願公開第２００６／００９１５２８号および米国特許出願公開第２００８／０２０８３３５号などの、当該技術分野において公知の材料および方法を使用して構成されてもよい。ＩＯＬは、本体の上部または内部に含まれる、一つ以上のバッテリ、回路、およびセンサも含んでもよい。
【００１８】
ＩＯＬの本体は、少なくとも数度（約１°から約１８０°、少なくとも約４５°、または約９０°から約１８０°）に折り曲げることできる程に充分に柔軟な材料から構成されている。例示的な材料には、これに限定されるものではないが、シリコーンおよびアクリル材料が挙げられる。
【００１９】
ＩＯＬ本体は、半透明中央開口部を含んでもよい。中央の開口部の透過率は、例えば、６０％より大きい、７５％より大きい、９０％より大きい、９５％より大きい、または９９％より大きい。中央の開口部の直径は、例えば、約０．１ｍｍから約２ｍｍ、約０．５ｍｍから約１．５ｍｍ、または、約１ｍｍである。
【００２０】
ＩＯＬ本明細書に記載のは、一つ以上の折り目を含む。折り目は折り畳みパターンを形成し、これはＩＯＬ本体の両側で対称または非対称である。ＩＯＬが本質的に平面（折り目が１０°未満、好ましくは約０°で位置する）である場合には、ＩＯＬは折り畳まれていない構成である。折り畳まれていない構成は、該構成が生体内で着用者に使用されていると考えられるので、“使用中の”構成とも呼ばれる。ＩＯＬが折り畳みパターンのすべてのラインに沿って折り畳まれている場合には、ＩＯＬは折り畳まれている構成である。折り畳まれている構成は、折り畳まれることによって、小さな外科的切開による埋め込みのために、ＩＯＬの寸法が低減されるので、“埋め込み可能な”構成とも呼ばれる。（該ＩＯＬは折り畳まれていない構成でも埋め込みできるが、大きな切開部分が必要とされる。）ＩＯＬがいくつかの折り目、しかしすべての折り目ではない折り目に沿って折り畳まれている場合、または、ＩＯＬが一つ以上の折り目に沿って折り畳まれている場合であるが、埋め込み可能な構成に対して最も望まれる程度ではない場合、ＩＯＬは“部分的に折り畳まれている”構成と呼ばれる。
【００２１】
折り畳まれている構成は、一つ以上の折り目の両端に１８０°折り畳まれた部分、または１８０°未満に折り畳まれた部分を含む。折り畳み角度が大きくなると、ＩＯＬ要素の上に大きな内部ストレスが加わるので、いくつかの実施形態では埋め込み可能な構成でもある１８０°未満に折り畳まれる。いくつかの実施形態では、ＩＯＬは約１°から約１８０°、約４５°から約１８０°、約７０°から約９０°、約９０°から約１３５°、または約９０°から約１８０°に折り畳まれている。一実施形態では、折り畳み角度は、ピークストレスが約７０ＭＰａ未満、約６５ＭＰａ未満、約６０ＭＰａ未満、約５０ＭＰａ未満、約４０ＭＰａ未満、約３０ＭＰａ未満、または約２５ＭＰａ未満になるすべての角度である。これらのピークストレスレベルは、ＩＯＬ本体内、および／またはセル間のＩＯＬ表面で測定できる。
【００２２】
一実施形態では、折り目の幅（ヒンジのサイズ）は約０．１ｍｍから約１ｍｍ、約０．２５ｍｍから約０．７５ｍｍ、約０．３ｍｍから約０．８ｍｍ、約０．５ｍｍから約０．６ｍｍ、または、約０．５ｍｍである。この測定は、折り畳まれている構成であっても、実質的に平面を維持しようとするＩＯＬの残余部分と対立する、折り畳み圧力がかかっているＩＯＬ部分を測定したものである。
【００２３】
一実施形態では、ＩＯＬ本体の厚さは、約０．１ｍｍから約２ｍｍ、約０．５ｍｍから約１．５ｍｍ、または、約１ｍｍである。
【００２４】
別の実施形態では、電気的に活性する要素の厚さは、約５０μｍから約５００μｍ、約１００μｍから約３００μｍ、約１５０μｍから約２５０μｍ、または、約２００μｍ以下である。
【００２５】
折り目は、光を透過または吸収できる。例えば、折り目の透過率は、９９％より大きい、９５％より大きい、９０％より大きい、約７０％から約９０％、約５０％から約７５％、約３０％から約５０％、約２０％未満、約１０％未満、または約５％未満である。折り目が光を透過するように設計されると、ＩＯＬが、カプセルの内側に配置される場合には、それを通過する光線の歪みが最小になるように設計される。従って、一実施形態では、折り目の透過率は少なくとも９０％である。折り目を通過する光線の歪みが避けられない場合には、網膜に歪み光線を誘導しないように、折り目は半透明または不透明にされる。従って、別の実施形態では、折り目の透過率は、２０％未満である。
【００２６】
一実施形態では、折り畳みパターンは、２つの平行な折り目を含む。一実施形態では、それぞれの折り目から最も近いＩＯＬ本体の外縁までの距離は同じなので、該折り目は通常は円形のＩＯＬを２つの同じセグメントと中央部分に分割する。このタイプの例示的な折り畳みパターンは、図４Ａに示されるレターボックスパターンと図４Ｂに示されるダブルヒンジパターンを含む。別の実施形態では、それぞれの折り目から最も近いＩＯＬ本体の外縁までの距離は、折り目から折り目までの距離と同じなので、セグメントと中央部分の幅はすべて等しい。
【００２７】
好ましい実施形態では、ＩＯＬは、レターボックス折り畳みパターンを含み、それでは、ＩＯＬが２つの平行な折り目に沿って９０°より大きい、１３５°より大きい、または約１８０°に折り畳まれている。一実施形態では、ＩＯＬは折り目に沿って約１８０°に折り畳まれているので、ＩＯＬは封筒に挿入するための三つ折りレターのように折り畳まれている。レターボックスデザインでは、電気的に活性化される開口部を駆動するために必要なすべての電子部品を、ＩＯＬによって焦点が合う光線経路から外れた触覚と目の接合部に配置することができる。ＩＯＬを５ｍｍよりも小さい切開部を通じて埋め込むことができるサイズに折り畳むことができるが、これは、電気的に活性化される開口部を含む実質的に硬い電子回路パッケージを、折り畳まれない状態に維持できる。
【００２８】
別の実施形態では、ＩＯＬは、ダブルヒンジ折り畳みパターンを含む、それは、ＩＯＬが２つの平行な折り目に沿って、約３０°から約９０°、約４５°から約９０°、または約９０°以下に折り畳まれている。一実施形態では、ＩＯＬは、折り目に沿って約９０°に折り畳まれている。
【００２９】
一実施形態では、少なくとも一つの折り目が中央の開口部を横断する。
このタイプの例示的な折り畳みパターンは、図４Ｄに示される中央フルヒンジ、および図４Ｅに示されるオフセット単一ヒンジを含む。一実施形態では、少なくとも一つの折り目がＩＯＬ本体を二等分する、すなわち、折り目はＩＯＬの中心点を横断する。このタイプの例示的な折り畳みパターンは、図４Ｃに示される中央部分ヒンジ、および図４Ｄに示される中央フルヒンジを含む。中央の開口部を横断する折り目は、中央の開口部を折り畳むことを要求しても、要求しなくともよい。いくつかの実施形態では、折り目は、中央の開口部を通って、ＩＯＬ本体の全幅にわたって延在する。他の実施形態では、図４Ｃの中央部部分ヒンジパターンのように、折り目は不連続であってもよい。
【００３０】
一実施形態では、中央の開口部は、折り畳まれているＩＯＬ構成と折り畳まれていないＩＯＬ構成の両方で実質的に平面のままである。これによって、例えば、１）中央の開口部を横断しない折り目（単数または複数）の折り畳みパターン、または２）中央の開口部を横断する不連続の折り目を含む折り畳みパターンを達成することができる。
【００３１】
一般的に、本明細書に記載の折り畳みパターンによれば、ＩＯＬは約５ｍｍ未満の外科的切開を通って埋め込むことができる。ＩＯＬ本体は、通常直径が約６ｍｍ（すなわち触覚を含んで約１２ｍｍ）なので、折り畳みによって“使用中の”構成のＩＯＬを挿入するために、必要とされる切開をより小さくすることができる。したがって、一実施形態では、折り畳まれている構成は、約５ｍｍ未満、約４ｍｍ未満、約３．５ｍｍ未満、約３ｍｍ未満、約２．５ｍｍ未満、または約２ｍｍ未満の寸法を有する。一実施形態では、折り畳まれている構成の寸法は、３．５ｍｍ、または、それ未満である。別の実施形態では、折り畳まれている構成の寸法は、約３．２ｍｍから約３．５ｍｍである。折り畳まれているＩＯＬのこれらの寸法のパラメータは、以下に詳細が記載されるＩＯＬの埋め込み方法での、外科的切開サイズに直接関係する。
【００３２】
ＩＯＬは、ＩＯＬを生体内の適切な位置でしっかり固定するための触覚を含んでもよい。触覚の配置およびデザインは、当該技術分野において周知である。明細書のいくつかの実施形態では、ＩＯＬは、関節がある触覚を含む。触覚（一般に２つある）は、通常は円形のＩＯＬ本体の円周に向かって、同心円状に延在する。一実施形態では、ＩＯＬは、ＩＯＬ本体の外縁から離れて、触覚との間に空間を空けるウィングをさらに含む。ウィングは、ＩＯＬ本体と柔軟に接続されていてもよいので、ＩＯＬ本体に対して、ちょうつがいのように動き、および／または旋回してもよい。図３参照。
（折り畳み可能なＩＱＬの埋め込みの方法）
【００３３】
別の実施形態では、眼内レンズを埋め込む方法は、本明細書に記載の折り畳可能な眼内レンズを提供する工程；折り畳まれている構成の眼内レンズを提供する工程；折り畳まれている眼内レンズを目に挿入する工程；および眼内レンズをそれが折り畳まれていない構成に開く工程を含む。
【００３４】
一実施形態では、折り畳まれているＩＯＬを目に挿入する工程には、約５ｍｍ未満、約４ｍｍ未満、約３．５ｍｍ未満、約３ｍｍ未満、約２．５ｍｍ未満、または、約２ｍｍ未満の外科的切開によって折り畳まれているＩＯＬを挿入する工程を含む。一実施形態では、外科的切開は３．５ｍｍ、またはそれ未満である。別の実施形態では、外科的切開は、約３．２ｍｍから約３．５ｍｍである。
【００３５】
ＩＯＬを折り畳まれていた状態から開く工程は、能動的にＩＯＬを開く工程、または、ＩＯＬが、受動的にそれが折り畳まれていない状態とみなされる工程（ＩＯＬ材料の弾力性に依存する）を含む。
（画質の分析）
【００３６】
本明細書に記載された折り畳可能なＩＯＬｓは、折り畳による分断にもかかわらず、非常に優れた視力性能を提供できる。以下の視力性能の測定は、ＩＯＬを折り畳み、および、開いた後に達成される。
【００３７】
一実施形態では、ＩＯＬの変調伝達関数（ＭＴＦ）は、少なくとも約５％、少なくとも約１０％、少なくとも約１５％、少なくとも約２０％、または少なくとも約２５％が達成される。図７参照。一実施形態では、ＩＯＬのこのＭＴＦは、中距離、および／または近距離視力焦点タスクで達成された。一実施形態では、ＩＯＬは、近距離視力でこのＭＴＦを達成した。別の実施形態では、ＩＯＬは、中距離視力でこのＭＴＦを達成した。別の実施形態では、ＩＯＬは、遠距離視力でこのＭＴＦを達成した。さらにもう一つの実施形態では、ＩＯＬは、近距離視力、中距離視力、および遠距離視力のすべてで、このＭＴＦを達成した。
【実施例】
【００３８】
（実施例１：光学モデリング）
ＺＥＭＡＸ（登録商標）ソフトウェアのＬｉｏｕＢｒｅｎｎａｎのアイモデルを使用して、モデル化された例示的な折り畳まれているＩＯＬデザインの画質によって光学性能を評価した。結果を図５〜図６に示す。
【００３９】
図５に示すように、遠距離視力は、例示的な折り畳まれているＩＯＬｓによって実質的に維持された。近距離視力は、セルがＯＮする場合にＥＡセルを追加することによって改善された。改善の程度はＩＯＬの機械デザインに依存し、およびレターボックスデザインが最も良好であることが見いだされた。
【００４０】
（実施例２：変調伝達関数）
いくつかの例示的なＩＯＬｓ（中央部部分ヒンジ、ダブルヒンジ、およびレターボックス）の変調伝達関数（ＭＴＦ）をシミュレートし、および、折り目の無い対照システムと比較した。電気的に活性する要素でフォーカスが無限になるように設定して、５００ｍｍの物体に対してＭＴＦがシミュレートされた。
【００４１】
図７に示すように、例示的なＩＯＬｓは、近距離視力で、著しい改善を示した。
【００４２】
次に、中距離での視覚を評価するために、無限（９０ｍ）から５００ｍｍまで撮影距離を変えてＭＴＦをシミュレートした。１００ラインペア／ｍｍのＭＴＦ（ＩＳＯ１１９７９−２で使用される）、４０ラインペア／ｍｍ、および２７．５ラインペア／ｍｍは、液晶透過率が６０％（透明）から６％（不透明）に変化するにつれて改善するように見えた。図８参照。
【００４３】
（実施例３：ストレステスト）
折り畳可能なＩＯＬｓを生成するために、ガラス要素は、特定量の折り畳みストレスに耐えることができなければならない。ガラスストレステストは、モデル化された。可変パラメータ、および結果として生じるピークストレスが以下の図９に示される。
【表１】
2012533355.tif 000003
【００４４】
１ｍｍ厚レンズでは、ガラスの好ましいピークストレスは７０ＭＰａ未満を示した。これらのモデル化されたストレステストで示されたように、分離距離が増加するに従って（モデルＡとＣの比較）および／またはセル厚さが増加するに従って（モデルＡとＢの比較）、ガラスストレスは低減する。
【図１】
2012533355.tif 000004
【図２】
2012533355.tif 000005
【図３】
2012533355.tif 000006
【図４】
2012533355.tif 000007
【図５】
2012533355.tif 000008
【図６】
2012533355.tif 000009
【図７Ａ−Ｂ】
2012533355.tif 000010
【図７Ｃ−Ｄ】
2012533355.tif 000011
【図７Ｅ−Ｆ】
2012533355.tif 000012
【図８】
2012533355.tif 000013
【図９Ａ−Ｂ】
2012533355.tif 000014
【図９Ｃ】
2012533355.tif 000015
【国際調査報告】
2012533355.tif 000016